(57)【要約】【課題】所定期間の平均需要電力に複数段階の報知レベルを設定し、所定期間の平均需要電力が各段階の報知レベルを超えると報知動作を行うようにした小型の電力管理装置、この電力管理装置を実現するためのプログラムを提供する。【解決手段】演算処理部１０は、電圧計測部１１が計測した電源電圧と、電流計測部１２が計測した負荷電流とに基づいて電気機器の消費電力を求め、消費電力を積算した値から所定期間における平均需要電力を算出する。演算処理部１０は、平均需要電力の測定値と、複数段階の報知レベルとの高低をそれぞれ比較し、測定値が報知レベルを超えたと判断すると、接点開閉部１７を制御し接点１６をオン／オフさせることによって接点信号を出力させる。演算処理部１０は、測定値が超えた報知レベルの段階に応じて、接点１６のオン／オフの周期、デューティ比、及び、接点信号の電圧レベルのうち、少なくとも何れか１つを変化させる。【選択図】図１
2014183666.tif 000002
【特許請求の範囲】
【請求項１】
電気機器の消費電力を測定する測定部と、
所定期間毎に所定期間の開始時から現在まで前記消費電力を積算した値をもとに所定期間の開始時から現在までの平均需要電力の実測値を算出する平均需要電力算出部と、
平均需要電力に対して複数段階の報知レベルが設定され、平均需要電力の前記実測値と複数段階の前記報知レベルとの高低をそれぞれ比較する比較部と、
平均需要電力の前記実測値が前記報知レベルを超えたと前記比較部が判断すると、出力端子に接続された接点をオン／オフさせることによって接点信号を出力させる出力部と、
前記実測値が超えた前記報知レベルの段階に応じて、前記接点のオン／オフの周期、デューティ比、及び、前記接点信号の電圧レベルのうち、少なくとも何れか１つを変化させる報知部とを備えたことを特徴とする電力管理装置。
【請求項２】
前記比較部は、電気事業者と需要家との間の契約により定められた最大使用電力値と前記測定部が測定した消費電力との高低を比較し、
前記消費電力が前記最大使用電力値を超えたと前記比較部が判断すると、前記出力部は前記接点をオン／オフさせることによって接点信号を出力しており、
前記報知部は、前記実測値が前記報知レベルを超えた場合と、前記消費電力が前記最大使用電力を超えた場合とで、前記接点のオン／オフの周期、デューティ比、及び、前記接点信号の電圧レベルのうち、少なくとも何れか１つを変化させることを特徴とする請求項１記載の電力管理装置。
【請求項３】
コンピュータを、
電気機器の消費電力を測定する測定部と、
所定期間毎に所定期間の開始時から現在まで前記消費電力を積算した値をもとに所定期間の開始時から現在までの平均需要電力の実測値を算出する平均需要電力算出部と、
平均需要電力に対して複数段階の報知レベルが設定され、平均需要電力の前記実測値と複数段階の前記報知レベルとの高低をそれぞれ比較する比較部と、
平均需要電力の前記実測値が前記報知レベルを超えたと前記比較部が判断すると、出力端子に接続された接点をオン／オフさせることによって接点信号を出力させる出力部と、
前記実測値が超えた前記報知レベルの段階に応じて、前記接点のオン／オフの周期、デューティ比、及び、前記接点信号の電圧レベルのうち、少なくとも何れか１つを変化させる報知部とを備えた電力管理装置、
として動作させるためのプログラム。
【請求項４】
請求項３に記載のプログラムであって、
前記比較部は、電気事業者と需要家との間の契約により定められた最大使用電力値と前記測定部が測定した消費電力との高低を比較し、
前記消費電力が前記最大使用電力値を超えたと前記比較部が判断すると、前記出力部は前記接点をオン／オフさせることによって接点信号を出力しており、
前記報知部は、前記実測値が前記報知レベルを超えた場合と、前記消費電力が前記最大使用電力を超えた場合とで、前記接点のオン／オフの周期、デューティ比、及び、前記接点信号の電圧レベルのうち、少なくとも何れか１つを変化させる電力管理装置、
としてコンピュータを動作させるためのプログラム。
【発明の詳細な説明】
【技術分野】
【０００１】
本発明は、電力管理装置、この電力管理装置を実現するためのプログラムに関するものである。
【背景技術】
【０００２】
従来、電気機器の消費電力を監視するコンセントアダプタと、電気機器の消費電力が所定値を越えると報知動作を行うコンセントモニタとを備えた消費電力監視システムがあった（例えば特許文献１参照）。
【０００３】
コンセントアダプタは、差込コンセントと電気機器の差込プラグとの間に挿入されて、電気機器の消費電力を測定し、測定結果をコンセントモニタに無線送信する。コンセントモニタは、コンセントアダプタから受信した消費電力の測定値を表示するとともに、消費電力の測定値が所定値を超えると、警告灯を点灯させたり、警報音を発生させたりして、消費電力が所定値を超えたことを報知する。
【先行技術文献】
【特許文献】
【０００４】
【特許文献１】特開平１０−２８２１６４号公報
【発明の概要】
【発明が解決しようとする課題】
【０００５】
上述の消費電力監視システムでは、消費電力の測定値が所定値を超えると、コンセントモニタの警告灯を点灯させたり、警報音を出力させたりしているが、所定期間の平均需要電力が所定値を超えるとオン／オフが切り替わる接点出力を備えた電力管理装置もあった。接点出力端子には警告灯やブザーが接続され、平均需要電力が所定値を超えると、接点がオンになって、警告灯が点灯したり、ブザーが鳴動したりすることで、消費電力の測定値が所定値を越えたことを報知する。
【０００６】
このような電力管理装置において、平均需要電力に複数段階の報知レベルを設定し、各報知レベルで接点信号を出力しようとすると、報知レベルの数に応じて接点信号を出力するための端子が増えることになる。そのため、端子数の増加により電力管理装置の大型化を招くという問題があった。
【０００７】
本発明は上記課題に鑑みて為されたものであり、その目的とするところは、所定期間の平均需要電力に複数段階の報知レベルを設定し、所定期間の平均需要電力が各段階の報知レベルを超えると報知動作を行うようにした小型の電力管理装置、この電力管理装置を実現するためのプログラムを提供することにある。
【課題を解決するための手段】
【０００８】
本発明の電力管理装置は測定部と平均需要電力算出部と比較部と出力部と報知部とを備えることを特徴とする。測定部は電気機器の消費電力を測定する。平均需要電力算出部は、所定期間毎に所定期間の開始時から現在まで前記消費電力を積算した値をもとに、所定期間の開始時から現在までの平均需要電力の実測値を算出する。比較部は、平均需要電力に対して複数段階の報知レベルが設定され、平均需要電力の前記実測値と複数段階の前記報知レベルとの高低をそれぞれ比較する。出力部は、平均需要電力の前記実測値が前記報知レベルを超えたと前記比較部が判断すると、出力端子に接続された接点をオン／オフさせることによって接点信号を出力させる。報知部は、前記実測値が超えた前記報知レベルの段階に応じて、前記接点のオン／オフの周期、デューティ比、及び、前記接点信号の電圧レベルのうち、少なくとも何れか１つを変化させる。
【０００９】
この電力管理装置において、以下のような報知動作を追加して行うことも好ましい。前記比較部は、電気事業者と需要家との間の契約により定められた最大使用電力値と前記測定部が測定した消費電力との高低を比較する。前記消費電力が前記最大使用電力値を超えたと前記比較部が判断すると、前記出力部は前記接点をオン／オフさせることによって接点信号を出力する。前記報知部は、前記実測値が前記報知レベルを超えた場合と、前記消費電力が前記最大使用電力を超えた場合とで、前記接点のオン／オフの周期、デューティ比、及び、前記接点信号の電圧レベルのうち、少なくとも何れか１つを変化させる。
【００１０】
本発明のプログラムは、コンピュータを電力管理装置として動作させるためのプログラムである。電力管理装置は測定部と平均需要電力算出部と比較部と出力部と報知部とを備える。測定部は電気機器の消費電力を測定する。平均需要電力算出部は、所定期間毎に所定期間の開始時から現在まで前記消費電力を積算した値をもとに、所定期間の開始時から現在までの平均需要電力の実測値を算出する。比較部は、平均需要電力に対して複数段階の報知レベルが設定され、平均需要電力の前記実測値と複数段階の前記報知レベルとの高低をそれぞれ比較する。出力部は、平均需要電力の前記実測値が前記報知レベルを超えたと前記比較部が判断すると、出力端子に接続された接点をオン／オフさせることによって接点信号を出力させる。報知部は、前記実測値が超えた前記報知レベルの段階に応じて、前記接点のオン／オフの周期、デューティ比、及び、前記接点信号の電圧レベルのうち、少なくとも何れか１つを変化させる。
【００１１】
このプログラムにおいて、前記比較部は、電気事業者と需要家との間の契約により定められた最大使用電力値と前記測定部が測定した消費電力との高低を比較し、前記消費電力が前記最大使用電力値を超えたと前記比較部が判断すると、前記出力部は前記接点をオン／オフさせることによって接点信号を出力しており、前記報知部は、前記実測値が前記報知レベルを超えた場合と、前記消費電力が前記最大使用電力を超えた場合とで、前記接点のオン／オフの周期、デューティ比、及び、前記接点信号の電圧レベルのうち、少なくとも何れか１つを変化させる電力管理装置、としてコンピュータを動作させることも好ましい。
【発明の効果】
【００１２】
本発明の電力管理装置によれば、比較部は、平均需要電力算出部が求めた平均需要電力の実測値と複数段階の報知レベルとの高低をそれぞれ比較している。平均需要電力の実測値が報知レベルを超えた場合、報知部は、実測値が超えた報知レベルの段階に応じて、接点のオン／オフの周期、デューティ比、及び、接点信号の電圧レベルのうち、少なくとも何れか１つを変化させている。したがって、需要家は、接点信号の違いから平均需要電力の実測値がどの段階の報知レベルを超えたのかを知ることができ、消費電力を制限するといった対応をとることができる。また、平均需要電力の実測値が複数段階の報知レベルを超えたことを１つの接点の接点信号で報知できるから、接点信号を出力するための出力端子の数が１組で済むから、電力管理装置の小型化を図ることができる。
【００１３】
また本発明のプログラムによれば、所定期間の平均需要電力に複数段階の報知レベルを設定し、所定期間の平均需要電力が各段階の報知レベルを超えると報知動作を行うようにした小型の電力管理装置としてコンピュータを動作させることができる。
【図面の簡単な説明】
【００１４】
【図１】本実施形態の電力管理装置のブロック図である。
【図２】同上の動作を説明するフローチャートである。
【図３】（ａ）（ｂ）は同上から出力される接点信号の波形図である。
【図４】（ａ）〜（ｃ）は同上から出力される接点信号の波形図である。
【図５】同上の電力管理装置の他の形態を示すブロック図である。
【発明を実施するための形態】
【００１５】
本発明に係る電力管理装置の実施形態を図面に基づいて説明する。
【００１６】
図１は電力管理装置１の概略構成を示すブロック図である。電力管理装置１は、演算処理部１０と、電圧計測部１１と、電流計測部１２と、操作部１３と、データ・設定値管理部１４と、表示部１５と、接点１６と、接点開閉部１７と、電源部１８とを備える。
【００１７】
演算処理部１０はマイクロコンピュータからなり、このマイクロコンピュータがＲＯＭ（図示せず）などに記憶されたプログラムを実行することによって、電力管理装置１の各機能（すなわち測定部、平均需要電力算出部、比較部、出力部、報知部としての機能）が実現される。
【００１８】
電圧計測部１１は、商用電源２から供給される電源電圧を計測し、計測結果を演算処理部１０に出力する。
【００１９】
電流計測部１２は、電気機器に供給される電流（負荷電流）を測定する電流センサ３（例えばカレントトランスなど）の出力をもとに、電気機器に流れる電流（負荷電流）を計測し、計測結果を演算処理部１０に出力する。
【００２０】
操作部１３は、複数個の操作釦（図示せず）を備え、ユーザによって操作釦が操作されると、操作に応じた信号を演算処理部１０に出力する。例えば操作部１３は、平均需要電力に対する報知レベルを設定するために用いられ、ユーザが報知レベルとして所望の電力値を設定すると、その設定内容が演算処理部１０に出力される。
【００２１】
データ・設定値管理部１４は、例えばＳＤメモリカードのようなメモリカードが装着されるカードスロット（図示せず）を備え、演算処理部１０によってメモリカード（図示せず）へのデータの書き込み、メモリカードからのデータの読み出しが制御される。演算処理部１０は、例えば消費電力の測定値や、所定期間の平均需要電力を測定した値や、最大需要電力に対する報知レベルなどのデータをメモリカードに記憶させる。
【００２２】
表示部１５は、例えば液晶ディスプレイからなる。表示部１５の表示内容は演算処理部１０によって制御され、演算処理部１０は表示部１５に例えば消費電力の測定値などを表示させる。
【００２３】
接点１６は出力端子ｔ１，ｔ２間に接続される。出力端子ｔ１，ｔ２には例えば外部の警告灯が接続されており、接点１６がオンになると警告灯が点灯し、接点１６がオフになると警告灯が消灯するようになっている。尚、出力端子ｔ１，ｔ２にはブザーなどが接続されていてもよく、その場合は接点１６がオンになるとブザーが鳴動し、接点１６がオフになるとブザーが停止する。
【００２４】
接点開閉部１７は、演算処理部１０からの制御信号に応じて接点１６をオン又はオフさせる。
【００２５】
電源部１８は、商用電源２から供給される交流電圧を直流電圧に変換して、電力管理装置１が備える回路のそれぞれに動作電圧を供給する。
【００２６】
次に、電力管理装置１の動作について図２のフローチャートを参照して説明する。
【００２７】
所定の計測周期が経過する毎に、電圧計測部１１は電源電圧を計測し、電流計測部１２は電気機器に流れる電流（負荷電流）を計測する（ステップＳ１）。演算処理部１０は、電圧計測部１１が計測した電源電圧と、電流計測部１２が計測した負荷電流とから瞬時の消費電力を演算により求め、データ・設定値管理部１４に消費電力の演算結果を逐次記憶させる（ステップＳ２）。演算処理部１０は、消費電力を演算すると、所定期間毎（毎正時から３０分毎）に、所定期間の開始時から現在までの消費電力を積算し、所定期間の開始時からの経過時間で積算値を除算することによって、所定期間における平均需要電力Ｗ１を求める（ステップＳ３）。
【００２８】
ここで、電気事業者と需要家との契約では、当月から過去１１ヶ月の最大需要電力のうち最も大きい最大需要電力を契約電力とし、この契約電力をもとに電気料金が決定される。なお、最大需要電力（いわゆるデマンド値）とは、３０分単位で求めた平均需要電力のうち、その月で最大の平均需要電力のことを言う。したがって、演算処理部１０は、３０分単位で平均需要電力を求めており、毎時０分から３０分までの３０分間と、毎時３０分から６０分までの３０分間でそれぞれ平均需要電力を算出している。
【００２９】
上述のような電力需給契約では、当月の最大需要電力が契約電力を上回ると、電気料金が値上がりするため、需要家は、当月の最大需要電力を契約電力以下に抑えようとする。そこで、需要家は、平均需要電力に対して例えば２つの報知レベルＷＬ１，ＷＬ２を設定しており、一方の報知レベルＷＬ１を契約電力の例えば９０％の電力値に、他方の報知レベルＷＬ２を契約電力の値に設定する（ＷＬ１＜ＷＬ２）。
【００３０】
演算処理部１０は、ステップＳ３の処理で平均需要電力の実測値Ｗ１を求めると、この実測値Ｗ１と報知レベルＷＬ１との高低を比較する（ステップＳ４）。
【００３１】
平均需要電力の実測値Ｗ１が報知レベルＷＬ１以下であれば（ステップＳ４のＮｏ）、演算処理部１０は報知動作を行うことなく、ステップＳ１に戻って、次の計測周期が来るまで待機する。
【００３２】
平均需要電力の実測値Ｗ１が報知レベルＷＬ１を超えていれば（ステップＳ４のＹｅｓ）、演算処理部１０は、平均需要電力の実測値Ｗ１と報知レベルＷＬ２との高低を比較する（ステップＳ５）。平均需要電力の実測値Ｗ１が報知レベルＷＬ２以下であれば（ステップＳ５のＮｏ）、演算処理部１０は、第１の報知信号を接点開閉部１７に出力して（ステップＳ６）、ステップＳ１に戻る。接点開閉部１７は、演算処理部１０から第１の報知信号が入力されると、例えば図３（ａ）に示す出力パターンで接点１６をオン／オフさせており、接点１６がオンの期間を５秒、オフの期間を３０秒として、オン／オフを周期的に繰り返させる。
【００３３】
一方、平均需要電力の実測値Ｗ１が報知レベルＷＬ２を超えていれば（ステップＳ５のＹｅｓ）、演算処理部１０は、第２の報知信号を接点開閉部１７に出力して（ステップＳ７）、ステップＳ１に戻る。接点開閉部１７は、演算処理部１０から第２の報知信号が入力されると、例えば図３（ｂ）に示す出力パターンで接点１６をオン／オフさせており、接点１６がオンの期間を５秒、オフの期間を５秒として、オン／オフを周期的に繰り返させる。
【００３４】
このように、平均需要電力の実測値Ｗ１が報知レベルＷＬ１を超え、且つ、報知レベルＷＬ２以下になると、演算処理部１０は、図３（ａ）の出力パターンで接点１６をオン／オフさせる。また平均需要電力の実測値Ｗ１が報知レベルＷＬ２を超えると、演算処理部１０は、図３（ｂ）の出力パターンで接点１６をオン／オフさせており、報知レベルＷＬ１を超え且つ報知レベルＷＬ２以下の場合に比べて、オン時間は変わらず、オン／オフの周期が短くなる。
【００３５】
例えば出力端子ｔ１，ｔ２に警告ランプが接続されている場合、平均需要電力の実測値Ｗ１が契約電力の９０％を超えると、警告ランプが５秒間点灯、３０秒間消灯の周期で点灯／消灯を繰り返す。警告ランプの点滅により需要家は平均需要電力が契約電力の９０％を超えたことを認識でき、平均需要電力を抑制する行動をとることができる。一方、平均需要電力の実測値Ｗ１が契約電力を超えると、警告ランプが５秒間点灯、５秒間消灯の周期で点灯／消灯を繰り返す。平均需要電力の実測値Ｗ１が契約電力以下である場合に比べて、点滅の周期が短くなるので、需要家は、点滅パターンの違いから平均需要電力が契約電力を超えたことを認識でき、平均需要電力を抑制する動作を緊急に行うことができる。
【００３６】
なお、本実施形態では平均需要電力の実測値Ｗ１が報知レベルＷＬ１を超えた場合と、報知レベルＷＬ２を超えた場合とで、接点１６がオン／オフする周期を変化させているが、周期は同じでオン／オフのデューティ比を変化させてもよい。また、平均需要電力の実測値Ｗ１が報知レベルＷＬ１を超えた場合と、報知レベルＷＬ２を超えた場合とで、周期とデューティ比の両方を変化させても良い。また、平均需要電力の実測値Ｗ１が報知レベルＷＬ１を超えた場合と、報知レベルＷＬ２を超えた場合とで、接点１６のオン時又オフ時の電圧レベルを変化させてもよいし、接点１６のオン／オフの周期、デューティ比、及び、接点信号の電圧レベルのうち、少なくとも何れか１つを変化させていればよい。
【００３７】
また上記の実施形態では、演算処理部１０は、電圧計測部１１の計測した電源電圧と、電流計測部１２の計測した負荷電流とをもとに消費電力を求めているが、図５に示すように外部の電力積算計４で電力量を積算した結果をもとに平均需要電力を求めてもよい。
【００３８】
図５に示す電力管理装置１では、上述の電圧計測部１１及び電流計測部１２に代えて、電力積算計４から出力されるパルス信号を計数するパルス計測部１９を備えている。電力積算計４は、電気機器で消費される電力量を計測して、積算し、その積算値が一定量増える毎にパルス信号を１パルス出力する。パルス計測部１９は、所定周期毎に所定期間の開始時から現在までに電力積算計４から出力されるパルス信号の数をカウントする。演算処理部１０は、パルス計測部１９の計測結果をもとに、所定期間毎に所定期間の開始時から現時点までの消費電力を積算し、所定期間の開始時からの経過時間で積算値を除算することによって、所定期間における平均需要電力Ｗ１を求めている。なお、消費電力の測定方法以外は図１に示す電力管理装置１と同様であるので、共通する構成要素には同一の符号を付して、その説明は省略する。
【００３９】
以上説明したように、本実施形態の電力管理装置１は測定部と平均需要電力算出部と比較部と出力部と報知部とを備えることを特徴とする。測定部（演算処理部１０、電圧計測部１１及び電流計測部１２からなる）は、電気機器の消費電力を測定する。平均需要電力算出部（演算処理部１０からなる）は、所定期間毎に所定期間の開始時から現在まで消費電力を積算した値をもとに、所定期間の開始時から現在までの平均需要電力の実測値を算出する。比較部（演算処理部１０からなる）は、平均需要電力に対して複数段階の報知レベルが設定され、平均需要電力の実測値と複数段階の報知レベルとの高低をそれぞれ比較する。消費電力の測定値が報知レベルを超えたと比較部（演算処理部１０）が判断すると、出力部（演算処理部１０及び接点開閉部１７からなる）は、出力端子ｔ１，ｔ２に接続された接点１６をオン／オフさせることによって接点信号を出力する。そして、報知部（演算処理部１０からなる）は、測定値が超えた報知レベルの段階に応じて、接点１６のオン／オフの周期、デューティ比、及び、接点信号の電圧レベルのうち、少なくとも何れか１つを変化させている。
【００４０】
比較部（演算処理部１０）は、平均需要電力の実測値と複数段階の報知レベルとの高低をそれぞれ比較する。そして、平均需要電力の実測値が報知レベルを超えた場合、報知部（演算処理部１０）は、実測値が超えた報知レベルの段階に応じて、接点１６のオン／オフの周期、デューティ比、及び、接点信号の電圧レベルのうち、少なくとも何れか１つを変化させているので、複数段階の報知レベルのそれぞれを平均需要電力の実測値が超えたことを１つの接点１６の接点信号で報知することができる。したがって、平均需要電力の実測値が複数段階の報知レベルのそれぞれを超えたことを１つの接点１６で報知でき、接点信号を出力するための出力端子の数が１組で済むから、電力管理装置１の小型化を図ることができる。
【００４１】
この電力管理装置１において、以下のような報知動作を追加して行うことも好ましい。比較部（演算処理部１０）は、電気事業者と需要家との間の契約により定められた最大使用電力値と、平均需要電力の実測値との高低を比較する。消費電力の測定値が最大使用電力値を超えたと比較部（演算処理部１０）が判断すると、出力部（演算処理部１０）は接点１６をオン／オフさせることによって接点信号を出力する。ここで、報知部（演算処理部１０）は、平均需要電力の実測値が報知レベルを超えた場合と、消費電力の測定値が最大使用電力を超えた場合とで、接点１６のオン／オフの周期、デューティ比、及び、接点信号の電圧レベルのうち、少なくとも何れか１つを変化させている。
【００４２】
例えば演算処理部１０が、上述した２つの報知レベルＷＬ１，ＷＬ２に加えて、最大使用電力値ＷＬ３（ＷＬ３＞ＷＬ２＞ＷＬ１）と、消費電力の測定値との高低を比較する場合について説明する。平均需要電力の実測値が報知レベルＷＬ１を超え且つ報知レベルＷＬ２以下であれば、すなわち契約電力の９０％を超え且つ契約電力以下であれば、演算処理部１０は、図４（ａ）に示すように出力部１６の接点１６を、オン期間が５秒、オフ期間が３０秒で周期的にオン／オフさせる。また、平均需要電力の実測値が報知レベルＷＬ２を超えると、すなわち契約電力を超えると、演算処理部１０は、図４（ｂ）に示すように出力部１６の接点１６を、オン期間が５秒、オフ期間が１０秒で周期的にオン／オフさせる。また、消費電力の測定値が最大使用電力値ＷＬ３を超えると、演算処理部１０は、図４（ｃ）に示すように出力部１６の接点１６を、オン期間が５秒、オフ期間が５秒で周期的にオン／オフさせる。
【００４３】
このように、平均需要電力の実測値が報知レベルＷＬ１，ＷＬ２を超えた場合と、消費電力の測定値が最大使用電力値ＷＬ３を超えた場合とで、接点１６のオン／オフの周期を変化させているので、複数段階の報知レベルの何れかを平均需要電力が超えたことと、最大使用電力を消費電力の測定値が超えたことを１つの接点１６の接点信号で区別して報知することができる。したがって、平均需要電力の実測値が複数段階の報知レベルの何れかを超えたことと、消費電力の測定値が最大使用電力を超えたことを１つの接点１６で報知でき、接点信号を出力するための出力端子（出力端子ｔ１，ｔ２）の数が１組で済むから、電力管理装置１の小型化を図ることができる。
【００４４】
なお、本実施形態では平均需要電力の実測値Ｗ１が報知レベルＷＬ１，ＷＬ２を超えた場合と、消費電力の測定値が最大使用電力値ＷＬ３を超えた場合とで、接点１６がオン／オフする周期を変化させているが、周期は同じでオン／オフのデューティ比を変化させてもよい。また、平均需要電力の実測値Ｗ１が報知レベルＷＬ１，ＷＬ２を超えた場合と、消費電力の測定値が最大使用電力値ＷＬ３以上になった場合とで、周期とデューティ比の両方を変化させても良い。また、平均需要電力の実測値Ｗ１が報知レベルＷＬ１，ＷＬ２を超えた場合と、消費電力の測定値が最大使用電力値ＷＬ３を超えた場合とで、接点１６のオン時又オフ時の電圧レベルを変化させてもよいし、接点１６のオン／オフの周期、デューティ比、及び、接点信号の電圧レベルのうち、少なくとも何れか１つを変化させていればよい。
【００４５】
ここにおいて、消費電力の測定値が最大使用電力値ＷＬ３を超えた場合は、平均需要電力の実測値が報知レベルＷＬ１，ＷＬ２を超えた場合に比べてオフ期間が短く、オン／オフの周期が短くなっているので、消費電力が最大使用電力を超えたことを容易に判別でき、消費電力を低減させるように需要家に行動を起こさせることができる。
【符号の説明】
【００４６】
１  電力管理装置
１０  演算処理部（測定部、平均電力算出部、比較部、出力部、報知部）
１１  電圧計測部（測定部）
１２  電流計測部（測定部）
１６  接点
１７  接点開閉部（出力部）
１９  パルス計測部（電力測定部）
ｔ１，ｔ２  出力端子
【図１】
2014183666.tif 000003
【図２】
2014183666.tif 000004
【図３】
2014183666.tif 000005
【図４】
2014183666.tif 000006
【図５】
2014183666.tif 000007